(57)【要約】【課題】  芸術作品は、実際の作品を直接見たり、触れたりしなければ本当のところはわからない。インターネット上の映像だけでは、鑑賞者は作品の本当の良さがわからず、購入する気分になれない。また、芸術家は自己の作品を理解してもらうことができず不満が残る。このため芸術作品の売買あるいはレンタル等の契約が成立する可能性は低い。【解決手段】  複数の芸術作品をウェブページ上に登録するステップと、登録された前記芸術作品の展示要求についてウェブページ上に掲載するステップと、インターネットの接続者から前記展示要求を受領するステップと、前記展示要求をカウントしその頻度に基づき少なくとも展示の場所と期間を企画するステップと、展示の前記場所と期間を前記インターネットの接続者に返信する展示会情報の返信ステップとを有する芸術作品の展示・販売システム。【選択図】  図３
2005071307.tif 000002
【特許請求の範囲】
【請求項１】
インターネットを介してアクセスできる芸術作品の画像を表示するウェブページと、前記ウェブページ上に掲載された前記芸術作品の識別情報と、前記識別情報に対応してウェブページ上に設けられた展示要求の領域と、前記展示要求の領域を指定して展示要求者の識別情報を入力する領域とを有するインターネットによる芸術作品の展示システム。
【請求項２】
入力された前記展示要求者の識別情報と、展示要求された前記芸術作品の識別情報とを所定の宛先アドレスに送信する送信手段を有する請求項１記載のインターネットによる芸術作品の展示システム。
【請求項３】
前記所定の宛先アドレスはメールアドレスまたはドメインネームのアドレスであり、前記インターネットを介して送信され、前記展示要求者の識別情報は展示要求者の所在または住所を含むか、あるいは前記展示要求者の識別情報から所在または住所を検索するデータベースを介して実際の展示会場を前記展示要求者に連絡することを特徴とする請求項２記載のインターネットによる芸術作品の展示システム。
【請求項４】
前記芸術作品は販売またはレンタルを目的としてウェブページ上に掲載されるものであり、展示会場が前記展示要求者の識別情報から得られる所在または住所と展示を要求される芸術作品の要求頻度に基づいて決定される請求項３記載のインターネットによる芸術作品の展示システム。
【請求項５】
芸術作品をインターネット上で展示・販売するシステムにおいて、複数の芸術作品をウェブページ上に登録するステップと、登録された前記芸術作品の展示要求についてウェブページ上に掲載するステップと、インターネットの接続者から前記展示要求を受領するステップと、前記展示要求に基づき少なくとも展示の場所と期間を企画するステップと、展示の前記場所と期間を前記インターネットの接続者に返信する展示会情報の返信ステップとを有することを特徴とする芸術作品の展示・販売システム。
【請求項６】
更に、実際に芸術作品を展示するステップを有する請求項５記載の芸術作品の展示・販売システム。
【請求項７】
前記ウェブページ上に掲載するステップが、芸術作品の全部または一部を複写した印刷物による郵送と併用するステップである請求項５記載の芸術作品の展示・販売システ厶。
【請求項８】
前記芸術作品を展示するステップが、時間的または空間的に分けられ不特定者が見られる複数の展示会場で展示するステップである請求項６記載の芸術作品の展示・販売システム。
【請求項９】
芸術作品をインターネット上で展示・販売するシステムにおいて、展示する芸術作品の募集をウェブページ上に掲載するステップと、インターネットの接続者から芸術作品の展示申し込みを受領するステップと、受領された前記展示申し込みに応じて芸術作品の展示を企画するステップと、前記企画された少なくとも展示の場所と期間を前記インターネットの接続者に返信するステップとを有することを特徴とする芸術作品の展示・販売システム。
【請求項１０】
前記返信に基づき、展示作品が展示会場に搬入されるステップを有する請求項９記載の芸術作品の展示・販売システム。
【請求項１１】
受領された前記展示申し込みに応じて芸術作品の展示を企画するステップが、複数の展示申し込みに基づき展示会場を所定の区画で分割したブロック単位で共通した時期に開催するステップである請求項９記載の芸術作品の展示・販売システム。
【請求項１２】
展示する芸術作品の募集を前記ウェブページ上に掲載するステップが、芸術作品の全部または一部を複写した印刷物による郵送と併用するステップである請求項９記載の芸術作品の展示・販売システム。
【発明の詳細な説明】
【技術分野】
【０００１】  本発明はインターネットを利用して、芸術作品を展示・販売するためのシステムに関する。特に、絵画、彫刻、陶芸等の造形芸術を創作する多くの芸術家の作品を広く公開して、作品の展示に関する適切な情報を提供できるシステムに関する。
【背景技術】
【０００２】  一般に、芸術作品等の展示会を開催するときは、展示会の主催者は全国各地に赴き作品収集の手配を行うと共に、展示会の開催日になると会場に多数の作品を送り込み作品展示の作業を行った後、会期中会場での立会いを行う。
また、芸術作品の鑑賞者や購入を希望するコレクターは、全国各地の展示会開催時間に合わせて展示会場まで行き、展示作品を実際に確認する。【０００３】  しかし、作品を広く公開する場を開設するためには多額の費用と手間を必要するので容易ではなく、鑑賞者やコレクターにとっては、わざわざ全国各地の展示会場に出向く必要があるという不便があった。【０００４】  また、今日、多くの芸術家が存在するが、芸術家が自己の作品を公開しようと思ったときに取り得る手段としては、画廊やギャラリーにたくさんの作品を持ち込んで、個展を開催したりあるいは、いわゆる公募展と呼ばれる大きな展示会に１〜２品の作品を他の芸術家のたくさんの作品と共に出品する方法が一般的である。【０００５】  しかし、前者の場合は多額の費用を要するため容易ではなく、芸術家個人の経済的負担は大きい。また、後者の場合は通常、作品の販売を直接の目的としていないので芸術家にとっての経済的利益はない。この点の問題を解消するため、慣例として、芸術家が数名集まって画廊やギャラリーを共同で貸し切り、例えば３人展、５人展と称する展示会を開催することがある。但し、この場合は、グループ展を開催するためのメンバーを芸術家個人が探す必要があり、必ずしも個性を重んじる芸術家全員の意見が合うとは限らない。また、費用的、時間的にも芸術家全員の合意を得るための手間がかかる。このため、実際上グループ展開催の機会は制限されてしまう。特に、これからの新進気鋭の芸術家にとって、作品を展示できる十分な機会を得ることができないという問題は深刻である。【０００６】  一方、近年インターネット等の通信ネットワーク上で様々な商品が売買されるようになってきた。すなわち、パーソナルコンピュータや家電製品等であればその製品仕様や特徴と合わせて価格が表示され、インターネットを介して申し込んだ後、メール等で受理通知されて、購入希望者へ製品が配達されることが一般的に行われるようになってきた。
そして、インターネットを介した商品の売買を画像データの転送により絵画商品の売買まで拡張する手段も提案されている。例えば、特許文献１では、インターネットの利用者が簡易な操作手順により絵画の鑑賞のみならず絵画の交換・売買が行える絵画転送システムを提供している。【０００７】  しかしながら、売買される商品がパーソナルコンピュータや家電製品等のように画一化された電化製品のような商品である場合は、商品の購入希望者が求める期待はインターネットで十分満足されるとしても、扱われる商品が、こと芸術作品となれば話は異なる。すなわち、芸術作品のタッチや雰囲気、細やかな表現はいかに高精細の映像であっても捉え難く、全く同一ものが存在しない芸術作品では個々の様相が異なるので、実際の作品を直接見たり、触れたりしなければ本当のところはわからない。鑑賞者は作品の本当の良さがわからず、購入する気分になれない。また、芸術家はインターネット上での映像だけで自己の作品を理解してもらうことができず不満が残る。結果として、芸術家としては鑑賞者の方から短い展示期間に都合を合わせて展示会場を訪れるか、あるいは偶然の訪問に期待するしかなく、芸術作品の売買あるいはレンタル等の契約が成立する可能性は低い。特に、芸術作品は商品としても概ね高価であり、直接、自らの目で確認できない作品が売買等されることは稀であり、取引としては成立しないことが多い。
【特許文献１】特開２００１−２６８５４１号公報
【発明の開示】
【発明が解決しようとする課題】
【０００８】  本発明の目的は、上述の従来技術に鑑みて、展示会主催者の手間と費用を削減すると共に、芸術作品の鑑賞者や購入を希望するコレクターの期待を裏切ることなく当該作品を十分に確認できる芸術作品の展示・販売等に関する新しいシステムを提供することにある。また、芸術家が低い費用負担で安心して、自己の芸術作品を展示できるシステムを提供することにより、多くの埋もれた芸術作品が世に広く公開される機会を得ることができるようにすることを目的とする。これにより、鑑賞者は当該芸術作品を自分の目で直接確認できるようになり芸術作品の売買等の取引が成立する可能性が高くなり、芸術家の創作活動への支援ともなる。
【課題を解決するための手段】
【０００９】  上記課題を解決するため請求項１記載の発明では、インターネットを介してアクセスできる芸術作品の画像を表示するウェブページと、前記ウェブページ上に掲載された前記芸術作品の識別情報と、前記識別情報に対応してウェブページ上に設けられた展示要求の領域と、前記展示要求の領域を指定して展示要求者の識別情報を入力する領域とを有するインターネットによる芸術作品の展示システムであることを特徴とする。【００１０】  また、請求項２記載の発明では、入力された前記展示要求者の識別情報と、展示要求された前記芸術作品の識別情報とを所定の宛先アドレスに送信する送信手段を有する請求項１記載のインターネットによる芸術作品の展示システムであることを特徴とする。【００１１】  また、請求項３記載の発明では、前記所定の宛先アドレスはメールアドレスまたはドメインネームのアドレスであり前記インターネットを介して送信され、前記展示要求者の識別情報は展示要求者の所在または住所を含むか、あるいは前記展示要求者の識別情報から所在または住所を検索するデータベースを介して実際の展示会場を前記展示要求者に連絡するインターネットによる芸術作品の展示システムであることを特徴とする。【００１２】  また、請求項４記載の発明では、前記芸術作品は販売またはレンタルを目的としてウェブページ上に掲載されるものであり、展示会場が前記展示要求者の識別情報から得られる所在または住所と展示を要求される芸術作品の要求頻度に基づいて決定される請求項３記載のインターネットによる芸術作品の展示システムであることを特徴とする。【００１３】  また、請求項５記載の発明では、芸術作品をインターネット上で展示・販売するシステムにおいて、複数の芸術作品をウェブページ上に登録するステップと、登録された前記芸術作品の展示要求についてウェブページ上に掲載するステップと、インターネットの接続者から前記展示要求を受領するステップと、前記展示要求に基づき少なくとも展示の場所と期間を企画するステップと、展示の前記場所と期間を前記インターネットの接続者に返信する展示会情報の返信ステップとを有することを特徴とする。【００１４】  請求項６記載の発明では、請求項５記載の発明において、実際に芸術作品を展示するステップを有することを特徴とする。【００１５】  また、請求項７記載の発明では、前記ウェブページ上に掲載するステップを、芸術作品の全部または一部を複写した印刷物による郵送と併用するステップであることを特徴とする。【００１６】  また、請求項８記載の発明では、前記芸術作品を展示するステップを時間的または空間的に分けられ不特定者が見られる複数の展示会場で展示するステップであることを特徴とする。【００１７】  また、請求項９記載の発明では、芸術作品をインターネット上で展示・販売するシステムにおいて、展示する芸術作品の募集をウェブページ上に掲載するステップと、インターネットの接続者から芸術作品の展示申し込みを受領するステップと、受領された前記展示申し込みに応じて芸術作品の展示を企画するステップと、前記企画された少なくとも展示の場所と期間を前記インターネットの接続者に返信するステップとを有することを特徴とする。【００１８】  また、請求項１０記載の発明では、請求項９記載の発明において、前記返信に基づき展示作品が展示会場に搬入されるステップを有することを特徴とする。【００１９】  また、請求項１１記載の発明では、受領された前記展示申し込みに応じて芸術作品の展示を企画するステップが、複数の展示申し込みに基づき展示会場を所定の区画で分割したブロック単位で共通した時期に開催するステップであることを特徴とする。【００２０】  また、請求項１２記載の発明では、展示する芸術作品の募集を前記ウェブページ上に掲載するステップを、芸術作品の全部または一部を複写した印刷物による郵送と併用するステップであることを特徴とする。
【発明の効果】
【００２１】  本発明の芸術作品の展示・販売システ厶は次の効果を奏する。鑑賞者やコレクターからの展示要求のデータをインターネットを介して受信して、これらのデータに基づき、当該鑑賞者やコレクターが求める芸術作品を中心とした効率的な展示会の開催が可能となる。これにより主催者にとっても大幅な展示会スペースの削減、搬入・搬出の手間、並びに倉庫費用の削減が可能となる。また、鑑賞者やコレクターは、実際に展示される芸術作品のタッチや雰囲気、細やかな表現を直接目で見たり、触れたりして確認することができるので、トラブルのない適切な芸術作品の売買が可能となる。これにより、多くの埋もれた芸術作品を公開することができるので芸術家の創作活動への支援ともなる。
【発明を実施するための最良の形態】
【００２２】  本発明において、展示・販売とは、展示、販売のほか、レンタル、交換等を含むものである。【００２３】  以下に本発明に関わる芸術作品の展示・販売システムを図面に示す実施例に基づき詳細に説明する。図１は本発明を適用したシステム構成の説明図であり、図２は芸術作品を展示・販売するためのウェブページ上の構成説明図である。ここでは、通信ネットワークとしてインターネットを利用したものを例示する。インターネット１０２にはプロバイダが所有するウェブサーバ１０１と、鑑賞者やコレクター等の所有する多数のクライアント端末１０３と、主催者の所有する管理者端末１０４が常時接続されている。クライアント端末１０３は鑑賞者やコレクター等の要求に応じて芸術作品を表示画像データとして表示したり、芸術作品の展示を要求したりする機能を有する。管理者端末１０４は電子画像データを転送したり、展示作品の要求を受信したりする機能を有する。主催者は、芸術作品の展示・販売のために、ウェブサーバ１０１が管理する記憶装置１０１Ａ上に設けられたウェブページ１０１ａを開設している。ウェブページ１０１ａは、所定のドメインネームによってクライアント端末１０３から自由にアクセス可能である。記憶装置１０１Ａには定期的に更新されたたくさんの芸術作品が電子画像データとして複数保存されている。【００２４】  ウェブページ１０１ａは、図２に示すように基本的には３階層でハイパーリンクされたウェブページ１〜４から成る。ウェブページ１は、ドメインネームによるアクセスによって最初に閲覧される第１階層のウェブページであり、表示対象となる芸術作品の項目メニューが表示される。そのメニュー画面には、例えば（１）絵画、（２）彫刻、（３）書、（４）骨董、（５）その他の項目があって、いずれか１つをクリックするとハイパーリンクされた第２階層のウェブページ２が表示される。図２の例では、（１）絵画を選択したときの第２階層として表示されるウェブページ２を示している。その画面には、実際に展示できる絵画の画像が圧縮された状態で１画面に例えば２０個配列され表示されている。それぞれの圧縮画像の上側にはこの絵画に対応する識別コードＡ（芸術作品の識別情報）が付与されている。圧縮画像の下側には、それぞれに対応して選択するためのボタン２ａが設けられている。また、画面全体の下部には画像を拡大するか、ダウンロードするか、あるいは所定の展示会場において展示するように要求するかいずれかが選択できる領域３ａが設けられている。圧縮画像のボタン２ａがクリックされ、更に拡大の個所がクリックされたときは、この圧縮画像に対応する絵画の拡大された画像がハイパーリンクされた第３階層のウェブページ３に表示されるようになっている。これが実際に展示・販売される絵画であり、鑑賞者やコレクターは絵画のより詳細を知ることができる。尚、この他、表示されている絵画の作者、販売価格等、必要な事項を併せて表示できることはもちろんである。【００２５】  また、ダウンロードが選択されたときにはダウンロード処理に入るが、圧縮画像のボタン２ａがクリックされ、更に画面下部の展示要求（展示要求の領域）がクリックされたときは、これにハイパーリンクされた第３���層の別のウェブページ４が表示される。このウェブページ４は、所定の事項を入力する入力フォーマットとしてメール送信形式で形成されている。もちろん複数の圧縮画像のボタン２ａを選択して一度に展示要求できる。ウェブページ４の入力フォーマットとしては、連絡先として、メールアドレス欄４ａ、住所・氏名欄４ｂ、クライアントの会員番号欄４ｃ等が設けられている（展示要求者の識別情報）。これらの欄の入力が完了した時点で圧縮画像のボタン２ａにより選択されたそれぞれの識別コードＡに対応して設けられているアクセスカウンタ５がカウントアップされる。このアクセスカウンタ５のカウントアップ後に、カウント値と入力データ、展示要求のあった絵画の識別コードＡが、主催者の管理者端末１０４へメール転送される。管理者端末１０４がこのメールを受信すると、その内容とカウント値とをＨＤＤ等の記憶装置１０４Ａの所定の領域に記憶する。管理者端末１０４には、会員住所録テーブル１０４ａ、展示会場テーブル１０４ｂ等が格納されていて、主催者は記録された受信データからある地域に展示要求がどの程度の数あるか、アクセスされたカウント値がどの程度あるか否かを判定する処理プログラムを定期的に起動する。そして、適切な展示会場を展示場テーブルから選択して、識別コードＡに対応した絵画をアクセスした鑑賞者やコレクターに対して、例えばメール、郵便等で展示場所、展示期間を連絡する。もちろん、このとき価格等も連絡される。【００２６】  図３は本発明の芸術作品の展示・販売システムの一つを実施するときの手続きを示すフローである。図３の最初のステップは展示作品の登録ステップ１０である。このステップでは、個々の芸術作品を電子データとして登録するために必要な表示用の電子画像データおよび芸術作品固有の属性データが登録される。すなわち、あらかじめ決められた分類方法により当該芸術作品の属性データを分類仕分けして、一つの芸術作品には一つまたは複数識別コードが付されるようにして登録する。この分類方法は展示会において、鑑賞者やコレクターが自分の目で、直接見て確認したいと思う芸術作品が実際に展示されているような分類方法でなければならない。例えば、絵画部門であれば油彩画、水彩画、パステル画、日本画、イラストレーション、版画等に分類されると共に、芸術家の個人名や当該芸術家の属する団体名毎の仕分けであったり、更には印象派、後期印象派、写実派、抽象派、現代絵画等のテーマ分類であったり、風景画、人物画、静物画等の分類であったりする。【００２７】  ウェブページ上の掲載ステップ２０は、登録された芸術作品をインターネット１０２を介して表示するステップである。特に、該当芸術作品がインターネット上で表現できるものであれば、平面であると立体であるとを問わず視覚的に認識・評価できる態様で表示する。ウェブページ上での表示は定期的に、例えば３ヶ月に一度更新され、常に新しい芸術作品がまんべん無く表示され、鑑賞者やコレクターの期待に応えるようにする。但し、このウェブページ上での表示の更新タイミングと実際の作品展示のタイミングは一致させる必要はなく、受信された鑑賞者やコレクターの展示要求の内容を分類・整理して初めて、最も効率の良い実際の作品展示が企画され、その都度、実際の展示タイミングが決まる。【００２８】  次の展示作品の要求受領ステップ３０では、鑑賞者やコレクターはウェブページ上で掲載されている芸術作品の内から、自らの目で確認したいと思うものを選択してクライアント端末１０３から主催者の管理者端末１０４にメールとして送信する。但し、場合によっては、はがき等で展示作品の要求内容を郵送して来ることもある。いずれの場合にも当該芸術作品の識別コードを中心に何時頃どの展示会場で見てみたいかといった意思が伝われば良い。より具体的には、鑑賞者やコレクターが作品を選択する際の便宜のため、芸術作品の前記分類の全部又は一部がウェブページ上で開示される。これにより鑑賞者やコレクターは、例えば前述の他、芸術作品として「絵画」を選択し、更にジャンル別の項目を選択した場合にはウェブページ上に表示される「油彩画」、「水彩画」、「パステル画」、「日本画」、「イラストレーション」、「版画」等の選択肢の内、どれかを選択するようにすることもできる。仮に「油彩画」を選択して、芸術家個人名を特定せずに「現代絵画」を更に選択した場合には、いわゆる「現代絵画」に属する「油彩画」を希望する意思が明らかになる。この意思に基づいてウェブページ上で検索された芸術作品の識別コード一覧が実際の表示画像データと共に表示される。【００２９】  鑑賞者やコレクターはこの特定された識別コードの芸術作品を自分の都合の良い最寄りの展示会場で見てみたい旨を主催者に通知すれば良い。但し、主催者の意図に反して、例えば都心から離れた地方における展示会場で、しかも特定月の期間内での開催を希望する場合もあるので、必ずしも鑑賞者やコレクターの意図するところと主催者の意図するところが合致するとは限らない。この場合例えば、「展示会場」の項目と「展示期間」の項目をあらかじめ、それぞれコード化されたリストの状態で用意しておき、ウェブページ上で表示して、複数の優先順位を付けて選択してもらうことで、できるだけ鑑賞者やコレクターの期待に沿えるようにすることもできる。【００３０】  展示作品の企画ステップ４０は、クライアント端末１０３からインターネット１０２を介して送信され、主催者の管理者端末１０４で受信された多くの展示要求のデータを基に、できるだけたくさんの鑑賞者やコレクターが共通して満足できる展示会を開催するように企画するステップである。どのような展示会にするかは、主催者の予算範囲内で様々な要求に応えるため、また芸術作品の展示会という性格上、時代の要請を勘案しながら、ときには先取りしながら企画する必要があるので、あらかじめ固定されたルールをつくっておくことは困難であり、またその必要もない。但し、個々の受信された展示要求のデータは電子データとして前記記憶装置１０４Ａに蓄積可能なので、例えば、あらかじめフォーマットを決めておけば大量のデータをコンピュータ処理するのに適し、より一層スピーディな展示会の企画・立案ができるようになる。【００３１】  鑑賞者やコレクターによっては、ある特定の芸術家個人の作品のみに関心があり、その他の芸術家の作品に関心がない場合もある。従来は、鑑賞者やコレクターはそのような場合であっても���わざわざ開催日に合わせて費用と時間をかけて展示会場に出向き、不要と思われる芸術家の作品群の中から自己の関心のある作品を探さねばならなかった。本発明では鑑賞者やコレクターが見なくても良い作品をあらかじめスキップして必要と思われる作品だけの展示会の開催を企画することが可能となる。これにより主催者にとっても大幅な展示会場のスペース削減、従って、費用の削減が可能となる。また、同様に、特定のジャンルの作品で、しかも特定の分野の作品だけ複数の芸術家にまたがって横断的に鑑賞したいと願う鑑賞者がいれば、その要求に合わせた効率的な展示会の開催が可能である。【００３２】  展示会の主催者は次の展示会情報の返信ステップ５０で、その都度企画した実際の展示会情報を管理者端末１０４からインターネット１０２を介してクライアント端末１０３に返信する。この際、すべての鑑賞者やコレクターに返信する必要はなく、当該展示会で展示される芸術作品を希望して選択した鑑賞者やコレクターに返信すれば足りる。どの範囲の鑑賞者やコレクターに返信するかは前記分類の設定項目に応じて任意に決められる。【００３３】  また、前述の通り、鑑賞者やコレクターは必ずしも展示会要求をインターネットを介して通知してくるとは限らず、例えばはがき等で通知してくることも考えられる。この場合、メールアドレスが不明のときもあるので、その場合には、はがきで返信する。はがき等で展示会情報を写真入りで招待状として郵送することにより、鑑賞者やコレクターは一層、当該展示会に興味をそそられ、実際の芸術作品を確認してみようと思う気持ちが出てくる。いずれの場合にも展示会の主催者から返信できる鑑賞者やコレクターのメールアドレス、住所等があらかじめ通知されていることが前提である。【００３４】  展示会での展示ステップ６０では、芸術作品の実際の展示が行われる。展示会場は主催者が鑑賞者やコレクターの要求に応じながら、自らの判断で任意に決められることは言うまでもないが、必ずしも固定されたギャラリーや大きなホール、芸術館には限らない。公民館等の公共施設や契約して展示を許可してくれる喫茶店、場合によっては空き店舗、地下道の側壁、駅構内の柱、街なかにある壁の空きスペース等すべての場所が展示会場として利用され得る。本発明においては鑑賞者やコレクターの要求に応じて、展示作品と展示会場および展示期間をその都度決めてゆくので、これらの者の便宜のため、任意に最寄りの展示会場を決めることができる。この場合、展示会場が多数の地点に散らばったり、臨機応変に変更されたりする可能性もあるので、展示会場までの簡易なマップを管理者端末１０４からインターネット１０２を介してクライアント端末１０３への返信に添付すれば、より一層サービスの向上になり鑑賞者やコレクターの足が展示会場に向いて来る。【００３５】  ところで、作品展示の場所を確保するためには多大の費用がかかる。他方、展示を希望する芸術家の作品が多数あるときは、従来、展示会場の制約から展示作品数を制限せざる得なかった。本発明によれば鑑賞者やコレクターの要求に合わせて、時間的、空間的に細切れに作品を展示することも可能となる。その結果、たくさんの作品を一度に搬入・搬出する手間・��用、並びに一時的にせよすべての作品を所蔵するための倉庫等を削減できるという効果がある。【００３６】  最後に展示作品の販売ステップ７０で個々の芸術作品の売買契約が成立する。鑑賞者やコレクターは現物の芸術作品を自分の目で確かめてから当該芸術作品を購入するので間違いがない。この点、従来のウェブページのみを使った商品の販売とは大きく異なる。従来は、インターネットを介して一方的に商品に関する電子データを潜在的な顧客に送信した後、反対に具体的な注文を顧客からインターネットを介して返信してもらうという、いずれも一方方向のみの意思表示が時間を経過して合致することにより売買契約が成立していた。これに対して、本発明では扱われる商品が芸術作品であるという特殊性に着目して、鑑賞者やコレクターが一旦、現物を見てみようという興味あるいは関心の度合いがインターネットを介してフィードバックされ、これらフィーバックされてくるたくさんのデータから最も効率の良い芸術作品の展示が可能になるというマーケッティング機能が追加されると共に、この実際の芸術作品の展示を通してトラブルのない適切な芸術作品の売買が実現されるのである。【００３７】  芸術作品の購入を希望する鑑賞者やコレクターは購入したい作品が決まると、展示会場での代金支払いの他、クライアント端末１０３を使って購入決定の意思表示をして、指定額を銀行に振り込むことで支払うこともできる。芸術作品自体は展示会終了後、宅配便で購入者に届けられる。【００３８】  図４は本発明の芸術作品の展示・販売システムの他の一つを実施するときの手続きを示すフローである。主催者が保有する芸術作品を公開する手段として、「ウェブページ上の掲載ステップ２０」に加え更に、「印刷物の郵送ステップ１５」が併用されている。その他の点は、前記実施例と同じである。インターネットを介して芸術作品を公開する他、印刷物の紙面が許す限り、できるだけ多くの作品例を、直接、潜在的な鑑賞者やコレクターに郵送して、キーボードに依らず作品の傾向や品質をあらかじめ知ってもらい、本発明による芸術作品の展示・販売システムへの理解を深めてもらうことが目的である。印刷物には当然、主催者のホームページが記載され、興味を示した鑑賞者やコレクターは更にウェブページ上で詳細を知ることになる。【００３９】  「ウェブページ上の掲載」だけでも、主催者が保有するすべての芸術作品の公開は可能であるが、鑑賞者やコレクターの立場からすれば、いちいちキーボード操作を行わねばならないという不便がある。それに比べ印刷物の郵送という手段は、鑑賞者やコレクターにとって、この不便を解消して一度に主要な芸術作品を比較鑑賞できる便利さがあると共に、もっと見てみようと思う芸術感覚をより一層刺激する効果がある。すなわち、「印刷物の郵送」という手段を「ウェブページ上の掲載」の補助的手段として用いることにより、より一層、自分の目で本物を確認することができる本発明による芸術作品の展示・販売システムが促進されるという効果がある。そして、多くの埋もれた芸術作品が世間に出回って公開される機会を得ることになり、芸術家の創作活動への支援ともなる。【００４０】  次に、本発明における芸術作品の展示・販売シス���ムの異なる実施態様について説明する。すなわち、ウェブページ上に芸術作品の展示募集を掲載することにより、芸術家がインターネットを利用して容易に自己に適当な展示会場を探し当てることができるシステムについて説明する。図５は本発明の異なる実施態様を適応したシステム構成の説明図である。基本的には、図１の説明図と同様の構成であるのでできるだけ同じ符号を付ける。すなわち、インターネット１０２にプロバイダが所有するウェブサーバ１０１と、芸術家が所有する多数の芸術家端末１０５と、主催者の所有する管理者端末１０４が常時接続されている。この場合の芸術家端末１０５は芸術家の希望に応じて自己の芸術作品を展示したいと思う展示会場の様子を写す画像を表示したり、実際の展示申し込みをを行ったりする機能を有する。管理者端末１０４は複数ある展示会場の画像を転送したり、展示申し込みの希望を受信したりする。主催者は、芸術作品の展示・販売のために、ウェブサーバ１０１が管理する記憶装置１０１Ｂ上に設けられたウェブページ１０１ｂを開設している。ウェブページ１０１ｂは、所定のドメインネームによって芸術家端末１０５から自由にアクセス可能である。記憶装置１０１Ｂには定期的に更新されたたくさんの芸術作品の展示会場が電子画像データとして複数保存されている。【００４１】  ウェブページ１０１ｂは、図６に示すように基本的には３階層でハイパーリンクされたウェブページ５〜７から成る。ウェブページ５は、ドメインネームによるアクセスによって最初に閲覧される第１階層のウェブページであり、表示対象となる芸術作品の展示場メニューが表示される。そのメニュー画面には、例えば（１）展示会場Ａ、（２）展示会場Ｂ、（３）展示会場Ｃ、（４）展示会場Ｄ、（５）展示会場Ｅの項目があって、いずれか１つをクリックするとハイパーリンクされた第２階層のウェブページ６が表示される。図６の例では、（１）展示会場Ａを選択したときの第２階層として表示されるウェブページ６を示している。その画面には、実際の展示会場の画像および住所等が１画面に表示されている。画面の上部にはそれぞれの展示会場に対応する識別コードＸが付与されている。画面の下部にはダウンロードするか、あるいは所定の展示会場において展示するように申し込みするかいずれかが選択できる領域６ａが設けられている。ダウンロードが選択されたときにはダウンロード処理に入るが、展示申し込みがクリックされたときは、ハイパーリンクされた第３階層のウェブページ７が表示されるようになっている。これが実際に作品を展示する際の申し込み手続きである。尚、この際、展示会場の空き情報、使用料等、必要な事項を併せて表示できることはもちろんである。【００４２】  このウェブページ７は、所定の事項を入力する入力フォーマットとして形成されている。入力フォーマットとしては、連絡先として、メールアドレス欄７ａ、住所・氏名欄７ｂ、芸術家の会員番号欄７ｃ等が設けられている。これらの欄の入力が完了した時点で入力データ、展示申し込みのあった展示場の識別コードＸが、主催者の管理者端末１０４へメール転送される。管理者端末１０４がこのメールを受信すると、その内容をＨＤＤ等の記憶装置１０４Ｂの所定の領域に記憶する。管理者端末１０４には、会員住所録テーブル１０４ｃ、展示場テーブル１０４ｄ等が格納されていて、主催者は記録された受信データから申し込みのあった展示会場が期間中に利用可能であるか否かを判定する処理プログラムを起動して確認する。そして、可能であることが確認された場合は芸術家の希望する展示会場についての情報を展示会場テーブルから選択された交通手段や搬入手続きの情報と共に芸術家に対して、例えばメール、郵便等で連絡する。もちろん、このとき使用料の支払い方法等も連絡される。【００４３】  図７は本発明の異なる実施態様を実施するための手続きを示すフローである。図７の最初のステップは芸術作品の募集をウェブページ上に掲載するステップ１１０である。このステップでは、主催者が管理する複数の展示会場がウェブページ上に掲載され、芸術家は展示会場の場所や雰囲気の画像を見て、自己の持ちうる予算を考慮しながら任意に選択できる。気に入った展示会場が見つかった場合、芸術家はウェブページ上で芸術作品の展示を申し込む。主催者が管理する展示会場をウェッブページ上に掲載する他、更に、印刷物の郵送を併用することができる。できるだけ多くの展示会場を、直接、芸術家に郵送によりあらかじめ知ってもらい、本発明による芸術作品の展示・販売システムへの理解を深めてもらうことが目的である。印刷物には当然、主催者のホームページが記載され、興味を示した芸術家は更にウェブページ上で詳細を知ることになる。【００４４】  申し込まれた内容は、芸術作品の展示申し込みを受領するステップ１２０で主催者に通知される。複数の申し込みを受領した主催者は展示会場が期間中に利用可能であるかどうかを、例えば、前述の通り専用のプログラムを使って確認したりする。【００４５】  主催者は、複数の申し込みがあっても一つの展示会場に同時期に展示可能の場合もあるので、最も効率的な展示を行うための企画を展示を企画するステップ１３０で行う。特に、芸術家によっては希望する展示会場をすべて埋め尽くすに足りる作品を所有していない場合もある。また、所有していても今回はその一部だけ展示したいという場合もある。このような場合、一つの展示会場を複数の芸術家に所定の区画で分割したブロック単位により共同使用してもらうことが考えられる。こうすることにより芸術家としては低い費用負担で自己の芸術作品を公開できる機会を得ることができる。また、主催者にとっても展示会場のスペースを効率的に使用できるので維持管理費を大幅に削減できる。更に、前記の鑑賞者やコレクター等からの展示要求と芸術家からの複数の展示申し込みとをマッチングすることにより、展示要求の頻度に基づき、展示会場を所定の区画で分割したブロック単位の作品展示を行うこともできる。これにより、より一層、市場要求に対応した作品展示が可能となる。【００４６】  図８は、展示会場を所定の区画で分割したブロック単位により共同使用する場合の一例である。どのような区画で分割するかは主催者の自由であるが、展示申し込みする作品が例えば、絵画である場合は大きさを所定（例えばＦ２０号で額装幅１０ｃｍ以内）の大きさに決めて、床下から天井までの間を３段に分割して展示する方法が考えら���る。また、部屋のある壁面を風景画専用、隣の壁面を静物画専用、その隣を人物画専用とすることもできる。また、部屋のある壁面を芸術家Ａ氏専用、隣の壁面を芸術家Ｂ氏専用、その隣の壁面を芸術家Ｃ氏専用とすることももちろん可能である。但し、芸術家によっては展示会場の共同使用を好まない者もいるかもしれない。トラブルを避けるため展示会場の共同使用についてはあらかじめ募集段階でウェブページ上に掲載しておくのが望ましい。【００４７】  展示会場の共同使用を承諾してもらった上で作品展示するにしても、実際にどの展示会場で、いつ展示するか具体的に芸術家にその内容を通知する必要がある。これが展示の場所と期間等を返信するステップ１４０である。この返信は確実を期するため、はがき等印刷物による文書の郵送を用いても良い。この段階で芸術家によっては展示を辞める意思表示をする可能性もある。その場合は、文書で取りやめの意思を明らかにしてもらうと共に、あらかじめ取り決めておいたキャンセル料等の支払いを行うことになる。【００４８】  最後に、主催者から芸術家への上記通知に従い所定期限までに展示作品が搬入されるステップ１５０が実行され、その後、実際に作品が展示される。尚、以上の実施例ではウェブサーバをプロバイダに設けられている例を挙げて説明したが、芸術作品の展示・販売会社専用のサーバを用いても良いことはもちろんである。
【図面の簡単な説明】
【００４９】
【図１】本発明を適用したシステム構成の説明図である。
【図２】本発明の芸術作品を展示・販売するためのウェブページ上の構成説明図である。
【図３】本発明の芸術作品の展示・販売システムの一つを実施するときの手続きを示すフローである。
【図４】本発明の芸術作品の展示・販売システムの他の一つを実施するときの手続きを示すフローである。
【図５】本発明の異なる実施態様を適応したシステム構成の説明図である。
【図６】本発明の芸術作品を展示・販売するための異なるウェブページ上の構成説明図である。
【図７】本発明の異なる実施態様を実施するための手続きを示すフローである。
【図８】展示会場を所定の区画で分割したブロック単位で展示する説明図である。
【符号の説明】
【００５０】５        アクセスカウンタ
１０      展示作品の登録ステップ
１５      印刷物郵送ステップ
２０      ウェブページ上の掲載ステップ
３０      展示作品の要求受領ステップ
４０      展示作品の企画ステップ
５０      展示会情報の返信ステップ
６０      展示会での展示ステップ
７０      展示作品の販売ステップ
１０１    ウェブサーバ
１０１Ａ  記憶装置
１０１Ｂ  記憶装置
１０１ａ  ウェブページ
１０１ｂ  ウェブページ
１０２    インターネット
１０３    クライアント端末
１０４    管理者端末
１０４ａ  会員住所録テーブル
１０４ｂ  展示場テーブル
１０４ｃ  会員住所録テーブル
１０４ｄ  展示場テーブル
１０５    芸術家端末
１１０    芸術作品の募集をウェブページに掲載するステップ
１２０    芸術作品の展示申し込みを受領するステップ
１３０    展示を企画するステップ
１４０    展示の場所と期間等を返信するステップ
１５０    展示作品が搬入されるステップ
【図１】
2005071307.tif 000003
【図２】
2005071307.tif 000004
【図３】
2005071307.tif 000005
【図４】
2005071307.tif 000006
【図５】
2005071307.tif 000007
【図６】
2005071307.tif 000008
【図７】
2005071307.tif 000009
【図８】
2005071307.tif 000010